(57)【要約】  平面視において旋回時における下部走行体（２）からの旋回台（３）のはみ出し長さが旋回半径に対して所定の割合以下である、いわゆる後方小旋回型のキャブ構造において、部品点数を増加させることなく、転倒時にかかる荷重に対して十分な剛性を確保することが可能な建設機械のキャブ構造を提供するために、キャブ（１０）は、パイプ材を略Ｌ字型形状に折り曲げて形成される左右前柱部材（３１ａ，３１ｂ）や、直線状のパイプ材によって形成される左右後柱部材（３２ａ，３２ｂ）等によってキャブ構造体（２０）を形成している。旋回台（３）の旋回軌道に沿って形成された円弧部分を含むキャブ（１０）の左側面側に配置された左前柱部材（３１ａ）の梁部（３１ａｂ）の後端部と、左後柱部材（３２ａ）の上端部分とが、互いにずれた位置に配置されている。そして、この互いにずれた位置に配置された左前柱部材（３１ａ）の梁部（３１ａｂ）の後端部と左後柱部材（３２ａ）の上端部分とは、後端梁部材（３３）によって互いに接合されている。【特許請求の範囲】
【請求項１】
下部走行体上に旋回可能な状態で取り付けられた旋回台に対して固定配置されており、所定の旋回半径を超えないように旋回軌道に沿って形成された円弧部分をいずれか一方の側面に有している建設機械のキャブ構造であって、
略Ｌ字型に折り曲げられたパイプ材によって形成されており、キャブの右前端部から右後端部、および左前端部から左後端部にかけてそれぞれ配置されるとともに、略鉛直方向に沿って配置される柱部と略水平方向に沿って配置される梁部とを有する第１柱部材と、
略直線状のパイプ材によって形成されており、略鉛直方向に沿ってキャブの右後端部および左後端部にそれぞれ配置されるとともに、前記円弧部分を有する側の側面の後端部に配置された一方の上端部分が、前記第１柱部材によって形成される平面からずれた位置に配置された第２柱部材と、
前記第２柱部材の上端部分同士を接合するとともに、前記第１柱部材の前記梁部の後端部分と前記第２柱部材の上端部分とを接合する第１接合部材と、
を備えている建設機械のキャブ構造。
【請求項２】
前記第１柱部材は、互いに平行に配置されており、
前記第１柱部材と前記第２柱部材とは、前記左右前端部にそれぞれ配置された前記第１柱部材間の距離が、前記左右後端部にそれぞれ配置された前記第２柱部材間の距離と異なるように配置されている、
請求項１に記載の建設機械のキャブ構造。
【請求項３】
前記円弧部分を有する側における前記第１柱部材の柱部と前記第２柱部材と前記第１接合部材とを互いに接合する第２接合部材を、さらに備えている、
請求項１または２に記載の建設機械のキャブ構造。
【請求項４】
前記第２接合部材は、断面が略Ｌ字形状の板金部材である、
請求項３に記載の建設機械のキャブ構造。
【請求項５】
前記円弧部分を有する側における前記第１柱部材の柱部と前記第２柱部材との間に、前記第２接合部材に対して上端部分が接合され、略鉛直方向に沿って設けられた第３柱部材をさらに備えている、
請求項３に記載の建設機械のキャブ構造。
【請求項６】
前記第１接合部材は、断面が略Ｌ字形状の板金部材である、
請求項１に記載の建設機械のキャブ構造。
【請求項７】
前記円弧部分を有する側面の側には、乗降用のスライドドアが取り付けられる、
請求項１に記載の建設機械のキャブ構造。
【請求項８】
前記パイプ材のうちの少なくとも１つは、異形断面の鋼管によって形成されている、
請求項１に記載の建設機械のキャブ構造。
【請求項９】
下部走行体上に旋回可能な状態で取り付けられた旋回台に対して固定配置されており、所定の旋回半径を超えないように旋回軌道に沿って形成された円弧部分をいずれか一方の側面に有している建設機械のキャブ構造であって、
略Ｌ字型に折り曲げられたパイプ材によって形成されており、キャブの右前端部から右後端部、および左前端部から左後端部にかけてそれぞれ配置されるとともに、略鉛直方向に沿って配置される柱部と略水平方向に沿って配置される梁部とを有する第１柱部材と、
略直線状のパイプ材によって形成されており、略鉛直方向に沿ってキャブの右後端部および左後端部にそれぞれ配置されるとともに、前記円弧部分を有する側の側面の後端部に配置された一方の上端部分が前記第１柱部材の梁部とは異なる位相に配置された第２柱部材と、
前記第２柱部材の上端部分を接合するとともに、前記第１柱部材の前記梁部の後端部分と前記梁部とは異なる位相に配置される前記第２柱部材の上端部分とを接合する第１接合部材と、
を備えている建設機械のキャブ構造。
【発明の詳細な説明】
【技術分野】
【０００１】
本発明は、油圧ショベル等の建設機械において、下部走行体上に旋回可能な状態で取り付けられた旋回台に配置される運転室（キャブ）の構造に関する。
【背景技術】
【０００２】
従来より、土砂や砂礫等の掘削を行う土木工事の現場において作業を行う際に、油圧ショベル（掘削機械）等の建設機械が使用されている。
この油圧ショベルには、一般的に主要な構成として、下部走行体と、下部走行体上に旋回可能な状態で取り付けられた旋回台と、旋回台上に固定配置されたオペレータが搭乗するための運転室（キャブ）と、が設けられている。【０００３】
近年、ＥＯＰＳ（６トンを超える油圧ショベル転倒時等保護構造：社団法人日本建設機械化協会規格）等の規格に対応した運転室の転倒時保護構造が特に重要視されてきており、キャブ構造の剛性アップが安全面の重要な課題として挙げられている。
例えば、特許文献１には、インナプレートとアウタプレートとを合わせて支柱を形成し、その支柱内部の中空空間に鋼管等の補強材を設けた建設機械（作業車両）のキャブ構造について開示されている。【０００４】
この構成によれば、インナプレートおよびアウタプレート等の板金部材だけで構成されたキャブ構造と比較して、建設機械が転倒した際における変形に対する剛性を大幅に向上させることができる。
【特許文献１】特開平９−２５６４８号公報（平成９年１月２８日公開）
【発明の開示】
【０００５】
しかしながら、上記従来の建設機械のキャブ構造では、以下に示すような問題点を有している。
すなわち、上記公報に開示された建設機械のキャブ構造では、運転室の剛性の向上により、運転室の安全性は確保できるものの、補強部材を追加することで部品点数が増加するためコストアップの要因となるおそれがある。
【０００６】
また、平面視において、旋回時における下部走行体からの旋回台のはみ出し長さが旋回半径に対して所定の割合以下である、いわゆる後方小旋回型のキャブ構造を採用した建設機械では、はみ出し量制限による形状の制限を満足させつつ、オペレータの快適性のために運転室の大きさをできるだけ大きくし、かつ十分な剛性を持たせる必要がある。このため、上記公報に開示されたキャブ構造では、部品点数が増加することにより、運転室の大型化と十分な剛性の確保という両面を実現できるとは言い難い。
本発明の課題は、平面視において、旋回時における下部走行体からの旋回台のはみ出し長さが旋回半径に対して所定の割合以下である、いわゆる後方小旋回型のキャブ構造において、部品点数を増加させることなく、転倒時にかかる荷重に対して十分な剛性を確保することが可能な建設機械のキャブ構造を提供することにある。
【０００７】
第１の発明に係る建設機械のキャブ構造は、下部走行体上に旋回可能な状態で取り付けられた旋回台に対して固定配置されており、所定の旋回半径を超えないように旋回軌道に沿って形成された円弧部分をいずれか一方の側面に有している建設機械のキャブ構造であって、第１柱部材と、第２柱部材と、第１接合部材とを備えている。第１柱部材は、略Ｌ字型に折り曲げられたパイプ材によって形成されており、キャブの右前端部から右後端部、および左前端部から左後端部にかけてそれぞれ配置されている。そして、第１柱部材は、略鉛直方向に沿って配置される柱部と略水平方向に沿って配置される梁部とを有している。第２柱部材は、略直線状のパイプ材によって形成されており、略鉛直方向に沿ってキャブの右後端部および左後端部にそれぞれ配置されている。そして、第２柱部材は、円弧部分を有する側の側面の後端部に配置された一方の上端部分が第１柱部材によって形成される平面からずれた位置に配置されている。第１接合部材は、右後端部および左後端部にそれぞれ配置された第２柱部材の上端部分同士を接合する。さらに、第１接合部材は、第１柱部材の梁部の後端部分と第２柱部材の上端部分とを接合する。
【０００８】
ここでは、平面視において、旋回時における旋回台が下部走行体からはみ出す長さが、旋回半径に対して１０％以下となる後方小旋回型の建設機械のキャブ構造において、略箱型のキャブの四隅の柱として、パイプ材によって形成された第１・第２柱部材を用いている。第１柱部材は、２つの略Ｌ字型形状に折り曲げられたパイプ材によって構成されており、左右の前端部から後端部にかけて配置されている。そして、第１柱部材は、左右の前端部にそれぞれ配置されて略鉛直方向に延びる柱部と、左右前端部上方から左右後端部上方まで延びる梁部とを含んでいる。左右の後端部分に配置された２本の第２柱部材のうち、キャブの一方の側面に形成された円弧部分の後端部に配置された一方の第２柱部材は、その上端部分が、第１柱部材の梁部の後端部分からずれた位置に配置されている。第１接合部材は、左右の後端部にそれぞれ配置された第２柱部材の上端部分同士を接合する。さらに、第１接合部材は、互いにずれた位置に配置された第１柱部材の梁部の後端部分と第２柱部材の上端部分とを接合する。
【０００９】
ここで、上記建設機械とは、例えば、旋回台上にキャブ（運転室）や各種建機を備えた油圧ショベルやクレーン車等が含まれる。また、上記後方小旋回型とは、例えば、旋回時において運転室が配置された旋回台が、平面視において、旋回半径に対する下部走行体からはみ出す長さの割合が１０％以下となるように旋回半径が設計された建設機械が含まれる。なお、上述した構成に含まれる左右前後の方向については、運転室内で建設機械を操作するオペレータから見た方向を意味している。
【００１０】
これにより、後方小旋回型の建設機械のように所定の旋回半径とするためにキャブの一方の側面が円弧部分を含むラウンド形状となっているために、ともにパイプ材によって形成された第１柱部材と第２柱部材と接合部分が互いにずれた位置に存在する場合でも、第１接合部材によってこれらを接合することができる。そして、この第１接合部材は、第２柱部材間を接合する梁としての機能も兼ね備えているため、部品点数を増やすことなく第１柱部材と第２柱部材とを互いに接合することができる。さらに、第１・第２柱部材が、ともにパイプ材を用いて形成されているため、従来の板金部材によって構成されるキャブ構造と比較して、部品点数を増やすことなくキャブの剛性を従来よりも向上させることができる。
【００１１】
第２の発明に係る建設機械のキャブ構造は、第１の発明に係る建設機械のキャブ構造であって、第１柱部材は、互いに平行に配置されており、第１柱部材と第２柱部材とは、左右前端部にそれぞれ配置された第１柱部材間の距離が、左右後端部にそれぞれ配置された第２柱部材間の距離と異なるように配置されている。
ここでは、例えば、キャブの前側の左右両端に設けられた第１柱部材間の距離よりもキャブの後側の左右両端に設けられた第２柱部材間の距離が長くなるように各部材を配置している。
【００１２】
ここで、キャブの左右の前端部にそれぞれ配置された２つの第１柱部材は、互いに柱部と梁部とが平行になるように配置されている。このため、円弧部分を含む側の側面上方に配置される第１柱部材の梁部の後端部分は、第２柱部材の上端からずれた位置に配置されることになる。
本発明のキャブ構造では、互いにずれた位置に存在する第１・第２柱部材を、第１接合部材によって接合することができるため、運転室からの広範囲にわたる視認性を確保しつつ、十分な剛性を確保したキャブ構造を得ることができる。
【００１３】
第３の発明に係る建設機械のキャブ構造は、第１または第２の発明に係る建設機械のキャブ構造であって、円弧部分を有する側における第１柱部材の柱部と第２柱部材と第１接合部材とを互いに接合する第２接合部材を、さらに備えている。
ここでは、キャブの側面に円弧部分を有する側において、第１柱部材と第２柱部材と第１接合部材とを互いに接合する第２接合部材をさらに設けている。
【００１４】
これにより、キャブ構造の主要な構成である第１・第２柱部材と第１接合部材とを、より強固に接合することが可能になる。さらに、第１柱部材の柱部と第２柱部材との間に第３柱部材を設けている場合には、第２接合部材によって、第１柱部材の梁部と、第３柱部材の上端部とを接合することもできる。この結果、さらに剛性を向上させたキャブ構造を得ることができる。
【００１５】
第４の発明に係る建設機械のキャブ構造は、第３の発明に係る建設機械のキャブ構造であって、第２接合部材は、断面が略Ｌ字形状の板金部材である。
ここでは、第１柱部材の端部と、第２柱部材の端部と、これらを接合する第１接合部材と、を接合する第２接合部材として、例えば、略Ｌ字型形状の板金部材を用いている。
これにより、第２接合部材としてパイプ材を用いた場合と比較して、キャブの端部の形状を任意の形状に加工し易くなるとともに、内部に電気配線を通すことによりキャブ構造の省スペース化が図れる。
【００１６】
第５の発明に係る建設機械のキャブ構造は、第３の発明に係る建設機械のキャブ構造であって、円弧部分を有する側における第１柱部材の柱部と第２柱部材との間に、第２接合部材に対して上端部分が接合され、略鉛直方向に沿って設けられた第３柱部材をさらに備えている。
ここでは、略箱型の四隅にそれぞれ配置された第１柱部材と第２柱部材を含むキャブ構造において、円弧部分を有する側の第１柱部材と第２柱部材との間に３つ目の柱として第３柱部材を設けている。
【００１７】
これにより、例えば、円弧部分を有する側の側面にスライドドアやヒンジ付きのドアを取り付ける場合でも、ドア分の重量を支えるために必要な強度を確保して、さらにキャブの剛性を向上させることができる。
【００１８】
第６の発明に係る建設機械のキャブ構造は、第１の発明に係る建設機械のキャブ構造であって、第１接合部材は、断面が略Ｌ字形状の板金部材である。
ここでは、互いにずれた位置に配置された第１柱部材の端部と第２柱部材の端部とを接合する第１接合部材として、例えば、略Ｌ字型形状の板金部材を用いている。
これにより、第１接合部材としてパイプ材を用いた場合と比較して、キャブの端部の形状を任意の形状に加工し易くなるとともに、内部に電気配線を通すことによりキャブ構造の省スペース化が図れる。
【００１９】
第７の発明に係る建設機械のキャブ構造は、第１の発明に係る建設機械のキャブ構造であって、円弧部分を有する側面の側には、乗降用のスライドドアが取り付けられる。
ここでは、旋回軌道に沿って形成された円弧部分を有するキャブの一方の側面に、オペレータが運転室へ乗降するためのスライドドアを設けている。
ここで、上記円弧部分を有する側の側面は、旋回軌道に沿って形成されていることから、通常、建設機械の車体の外側に位置している。
【００２０】
これにより、建設機械の車体の外側に位置している側のキャブ側面にスライドドアを取り付けることで、オペレータが容易に乗降できるようにすることができる。また、外側に膨らむように形成された円弧部分にスライドドアを収納することで、円弧部分をスライドドアのスライドスペースに当てた収まりの良いキャブ構造とすることができる。
【００２１】
第８の発明に係る建設機械のキャブ構造は、第１の発明に係る建設機械のキャブ構造であって、パイプ材のうちの少なくとも１つは、異形断面の鋼管によって形成されている。
ここでは、断面が単なる円形や四角形ではなく、複数の円弧部や直線部を組み合わせた異形断面の鋼管をパイプ材として用いている。
これにより、例えば、窓ガラスの嵌め込み部分等の形状に合わせて形成された異形断面を有するパイプ材を用いた場合には、部品点数を減らすとともに外観性を向上させた建設機械のキャブ構造を提供することができる。
【００２２】
第９の発明に係る建設機械のキャブ構造は、下部走行体上に旋回可能な状態で取り付けられた旋回台に対して固定配置されており、所定の旋回半径を超えないように旋回軌道に沿って形成された円弧部分をいずれか一方の側面に有している建設機械のキャブ構造であって、第１柱部材と、第２柱部材と、第１接合部材とを備えている。第１柱部材は、略Ｌ字型に折り曲げられたパイプ材によって形成されており、キャブの右前端部から右後端部、および左前端部から左後端部にかけてそれぞれ配置されている。そして、第１柱部材は、略鉛直方向に沿って配置される柱部と略水平方向に沿って配置される梁部とを有している。第２柱部材は、略直線状のパイプ材によって形成されており、略鉛直方向に沿ってキャブの右後端部および左後端部にそれぞれ配置されている。そして、第２柱部材は、円弧部分を有する側の側面の後端部に配置された一方の上端部分が第１柱部材の梁部とは異なる位相に配置されている。第１接合部材は、右後端部および左後端部にそれぞれ配置された第２柱部材の上端部分同士を接合する。さらに、第１接合部材は、第１柱部材の梁部の後端部分と第２柱部材の上端部分とを接合する。
【００２３】
ここでは、平面視において旋回時における下部走行体からのはみ出し長さが旋回半径に対して所定の割合以下である、後方小旋回型の建設機械のキャブ構造において、略箱型のキャブの四隅の柱として、パイプ材によって形成された第１・第２柱部材を用いている。第１柱部材は、２つの略Ｌ字型形状に折り曲げられたパイプ材によって構成されており、左右の前端部から後端部にかけて配置されている。そして、第１柱部材は、左右の前端部にそれぞれ配置されて略鉛直方向に延びる柱部と、左右前端部上方から左右後端部上方まで延びる梁部とを含んでいる。左右の後端部分に配置された２本の第２柱部材のうち、キャブの一方の側面に形成された円弧部分の後端部に配置された一方の第２柱部材は、その上端部分が、第１柱部材の梁部の後端部分とは異なる位相に配置されている。第１接合部材は、左右の後端部にそれぞれ配置された第２柱部材の上端部分同士を接合する。さらに、第１接合部材は、互いに異なる位相に配置された第１柱部材の梁部の後端部分と第２柱部材の上端部分とを接合する。
【００２４】
ここで、上記建設機械とは、例えば、旋回台上にキャブ（運転室）や各種建機を備えた油圧ショベルやクレーン車等が含まれる。また、上記後方小旋回型とは、例えば、平面視において、旋回時に運転室が配置された旋回台が下部走行体からはみ出す長さが旋回半径に対して１０％以下となるように旋回半径が設計された建設機械が含まれる。なお、上述した構成に含まれる左右前後の方向については、運転室内で建設機械を操作するオペレータから見た方向を意味している。また、互いに異なる位相に配置されるとは、両部材を延長していっても交わることがない関係をいう。
【００２５】
これにより、後方小旋回型の建設機械のように所定の旋回半径とするためにキャブの一方の側面が円弧部分を含むラウンド形状となっているために、ともにパイプ材によって形成された第１柱部材と第２柱部材と接合部分が互いに異なる位相に存在する場合でも、第１接合部材によってこれらを接合することができる。そして、この第１接合部材は、第２柱部材間を接合する梁としての機能も兼ね備えているため、部品点数を増やすことなく第１柱部材と第２柱部材とを互いに接合することができる。さらに、第１・第２柱部材が、ともにパイプ材を用いて形成されているため、従来の板金部材によって構成されるキャブ構造と比較して、部品点数を増やすことなくキャブの剛性を従来よりも向上させることができる。
【図面の簡単な説明】
【００２６】
【図１】本発明の一実施形態に係る油圧ショベルの外観の構成を示す側面図。
【図２】図１の油圧ショベルを示す平面図。
【図３】図１の油圧ショベルに搭載されたキャブの構造を示す斜視図。
【図４】図３のキャブの構造を示す分解斜視図。
【図５】図３のキャブが旋回台上にマウントされることを説明する図。
【図６】図３のキャブの構成を示す平面図。
【図７】図３のキャブを構成する骨格を形成する柱部材等の構成を示す斜視分解図。
【図８】図７の柱部材等の組立図。
【図９】図７の柱部材等を組み立てた際の各部材の配置を示す拡大平面図。
【図１０】図３のキャブの背面側の構造を示す斜視図。
【図１１】図３のキャブの背面側に取り付けられる各部材の構成を示す斜視図。
【図１２】図３に示すキャブを旋回台上に搭載する際の状態を示す斜視図。
【図１３】図３に示すキャブを旋回台上に搭載した状態を示す斜視図。
【図１４】追加図面  図７の柱部材に含まれる異形断面を有する鋼管を示す断面図。
【符号の説明】
【００２７】
１      油圧ショベル
２      下部走行体
３      旋回台
４      作業機
５      カウンタウェイト
６      エンジン
７      スライドドア
９      機器室
１０      キャブ
２０      キャブ構造体
２１ａ〜２１ｃ  サイドパネル
２１ｄ    上面パネル
２２ａ，２２ｂ  サイドフレーム
２２ｃ    背面フレーム
２４      マウント部
２４ａ    防振装置
２５      旋回フレーム
２７      フロアパネル
２７ａ    フロアフレーム
３１ａ    左前柱部材（第１柱部材）
３１ｂ    右前柱部材（第１柱部材）
３１ａａ，３１ｂａ  柱部
３１ａｂ，３１ｂｂ  梁部
３２ａ    左後柱部材（第２柱部材）
３２ｂ    右後柱部材（第２柱部材）
３３      後方梁部材（第１接合部材）
３４      側方梁部材（第２接合部材）
３５      支柱（第３柱部材）
４１      背面パネル（補強部材）
４２      板材（補強部材）
５０      冷却部品（ラジエータ）
ｄ      間隔
Ｍ      中央部
【発明を実施するための最良の形態】
【００２８】
本発明の一実施形態に係る建設機械のキャブ構造を採用した運転室（キャブ）を搭載した油圧ショベル（建設機械）１について、図１〜図１３を用いて説明すれば以下の通りである。
なお、以下の説明において使用する「左右」「前後」「前面背面」という文言は、キャブ１０（図１等参照）内でオペレータが椅子に座ったときに向く方向を基準とする方向を示すものとする。【００２９】
［油圧ショベル１全体の構成］
本実施形態に係る油圧ショベル１は、図１および図２に示すように、下部走行体２と、旋回台３と、作業機４と、カウンタウェイト５と、エンジン６と、機器室９と、キャブ１０とを備えている。そして、油圧ショベル１は、作業機４を除外した機械の旋回半径Ｒ（図２参照）が所定の値以下であって、平面視において旋回時における旋回台３が下部走行体２からはみ出す長さが旋回半径に対して１０％以下となる後方小旋回型の油圧ショベルである。【００３０】
下部走行体２は、進行方向左右両端部分に巻き掛けられた履帯Ｐを回転させることで、油圧ショベル１を前進、後進させるとともに、上面側に旋回台３を旋回可能な状態で搭載している。
旋回台３は、下部走行体２上において任意の方向に旋回可能であって、上面に作業機４と、カウンタウェイト５と、エンジン６と、キャブ１０とを搭載している。【００３１】
作業機４は、ブームと、ブームの先端に取り付けられたアームと、アームの先端に取り付けられたバケットとを含むように構成されており、油圧シリンダによってアームやバケット等を上下に移動させながら、土砂や砂礫等の掘削を行う土木工事の現場において作業を行う。
カウンタウェイト５は、例えば、鋼板を組み立てて形成した箱の中に屑鉄やコンクリート等を入れて固めたものであって、採掘時等において車体のバランスをとるために旋回台３の後部に設けられている。【００３２】
エンジン６は、下部走行体２や作業機４を駆動するための駆動源であって、カウンタウェイト５に隣接する位置に配置されている。
機器室９は、作業機４の側方に配置されており、図示しない燃料タンク、作動油タンクおよび操作弁等を収容する。
キャブ１０は、油圧ショベル１のオペレータが乗降する運転室であって、作業機４の先端部を見通せるように、旋回台３上における作業機４の側方となる左側前部に配置されている。なお、このキャブ１０のキャブ構造については、後段にて詳述する。【００３３】
［キャブ１０の構造］
キャブ１０は、図３に示すように各種柱部材３１ａ，３１ｂ，３２ａ，３５等によって構成される箱型の構造体であって、図２に示すように、キャブ１０の左側の側面部の中央部Ｍを、旋回台３の旋回中心Ｏを中心とする半径Ｒの円の外周部分にほぼ沿わせるように円弧状（ラウンド形状）に膨らませた形状（以下、円弧部分と示す）を有している。これにより、旋回時においても、下部走行体２よりも外側に旋回台の部分が大きくはみ出すことを回避した後方小旋回の油圧ショベルとして、道路工事等の狭いスペースでの作業が可能になる。そして、この円弧状の部分には、オペレータが乗降するためのスライドドア７が取り付けられている。これにより、スライドドア７を開けた場合でもスライドドア７が旋回台３の旋回半径Ｒの外側へ突出しないようにすることができる。この結果、キャブ１０が車体外幅Ｂ（図２参照）からはみ出して隣接する構築物等に干渉することなく、キャブ１０内部の容積を最大限に確保することができる。【００３４】
また、キャブ１０には、図４に示すように、後段にて詳述するキャブ構造体２０に対して、サイドパネル２１ａ，２１ｂ，２１ｃや上面パネル２１ｄ、サイドフレーム２２ａ，２２ｂや背面フレーム２２ｃが取り付けられて構成されている。なお、各パネル２１ａ〜２１ｄおよび各フレーム２２ａ〜２２ｃによって形成される枠内には、図示しないガラスが嵌め込まれてキャブ１０内にオペレータが乗り込むための空間が形成される。【００３５】
キャブ１０の左側の側面に取り付けられるサイドパネル２１ａやサイドフレーム２２ａ，２２ｂは、上述したキャブ１０の左側の側面に現れる円弧部分が形成されたキャブ構造体２０の部分に取り付けられるため、旋回中心Ｏを中心とする円の半径方向に膨らんだ形状となっている。
また、キャブ１０は、図５に示すように、旋回台３の上面部分となる旋回フレーム２５における左側前方に形成された４つのマウント部２４上に、防振装置２４ａおよびフロアパネル２７を、キャブ１０のフロアフレーム２７ａに対してボルト（図示せず）で固定した状態で搭載される。このため、キャブ１０は、旋回台３（旋回フレーム２５）に対して４点支持された状態で固定配置される。【００３６】
さらに、キャブ１０は、その骨組み部分となるキャブ構造体２０を備えている。なお、このキャブ構造体２０を構成する具体的な部材については、後段にて詳述する。
（キャブ構造体２０の構成）
本実施形態の油圧ショベル１では、複数の柱部材と梁部材とを組み合わせてキャブ１０を構成する骨格部分を形成している。【００３７】
具体的には、キャブ構造体２０は、図４および図６に示すように、左前柱部材（第１柱部材）３１ａと、右前柱部材（第１柱部材）３１ｂと、左後柱部材（第２柱部材）３２ａと、右後柱部材（第２柱部材）３２ｂと、後方梁部材（第１接合部材）３３と、側方梁部材（第２接合部材）３４と、支柱（第３柱部材）３５と、を備えている。
上記各部材のうち、キャブ構造体２０の四隅に配置される左右前後の柱部材３１ａ，３１ｂ，３２ａ，３２ｂは、パイプ材によって形成されている。このため、板金部材を組み合わせて形成される従来のキャブ構造体と比較して、大幅にキャブの剛性を向上させることができる。また、左前柱部材３１ａは矩形断面形状を有しており、右前柱部材３１ｂは、図１４に示すように、複数の円弧部分と互いに平行な直線部分とを組み合わせて構成される、窓ガラス等を嵌め込むための異形断面形状を有している。【００３８】
左前柱部材３１ａは、図７に示すように、パイプ材を中央部分付近で折り曲げて形成されており、略鉛直方向に沿って配置される柱部３１ａａと、略水平方向に沿って配置される梁部３１ａｂとを有している。このように、１本のパイプ材を折り曲げて柱部３１ａａと梁部３１ａｂとを形成することで、部品点数を減らしつつ、剛性の高いキャブ構造体２０を得ることができる。なお、右前柱部材３１ｂについても同様である。【００３９】
左後柱部材３２ａは、図７に示すように、１本のパイプ材によって形成されており、略鉛直方向に沿って配置されている。また、左後柱部材３２ａは、接合相手となる後方梁部材３３の形状に適合するように切り欠きが上端部分に形成されており、この切り欠きの部分と後方梁部材３３の側面とが接合される。さらに、左後柱部材３２ａは、その下端部がフロアフレーム２７ａに取り付けられている。そして、フロアフレーム２７ａは、上述したマウント部２４のほぼ真上に位置している部分において、防振装置２４ａを介してフロアパネル２７とともに取り付けられている。【００４０】
右後柱部材３２ｂについても、１本のパイプ材によって形成されており、略鉛直方向に沿って配置されている点、接合相手となる後方梁部材３３の形状に適合するように切り欠きが上端部分に形成されておりこの切り欠きの部分で後方梁部材３３の側面と接合される点については左後柱部材３２ａと同様である。そして、右後柱部材３２ｂは、下端部がフロアフレーム２７ａのレベル（高さ位置）にまで達していない。【００４１】
後方梁部材３３は、図７に示すように、断面形状が略Ｌ字型の板金部材によって形成されている。そして、後方梁部材３３は、図８に示すように、左右前柱部材３１ａ，３１ｂの梁部３１ａｂ，３１ｂｂの後端部と、左右後柱部材３２ａ，３２ｂの上端部とを接合する。より詳細には、左右前柱部材３１ａ，３１ｂの梁部３１ａｂ，３１ｂｂの後端部については、後方梁部材３３の略Ｌ字型の断面形状における鉛直方向にほぼ平行な面に対して接合される。一方、左右後柱部材３２ａ，３２ｂの上端部については、後方梁部材３３の略Ｌ字型の断面形状における水平方向にほぼ平行な面に対して接合される。【００４２】
ここで、左前柱部材３１ａおよび左後柱部材３２ａの接合部分（左前柱部材３１ａの梁部３１ａｂの後端部分、左後柱部材３２ａの上端部分）は、図８および図９に示すように、互いに異なる位相に配置される。この位相のずれは、上述した後方小旋回型の油圧ショベル１を構成するために、キャブ１０の側面部分に円弧部分を含むようにキャブ１０が形成されたことに起因するものである。具体的には、キャブ構造体２０において、図６に示すように、左右前柱部材３１ａ，３１ｂが互いに平行に配置されており、かつ左右前柱部材３１ａ，３１ｂの間隔ｄ１と、左右後柱部材３１ａ，３２ｂの間隔ｄ２とが異なるように各柱部材３１ａ，３１ｂ，３２ａ，３２ｂが配置されている。このように、キャブ１０では、後方の幅が前方の幅よりも広くなっているために、左右前柱部材３１ａ，３１ｂを互いに平行に配置した場合には、円弧部分を含む左側の前後の柱部材３１ａ，３２ａの接合部分の位相のずれが生じてしまう。換言すれば、左側の前後の柱部材３１ａ，３２ａは、それぞれを延長した場合でも、互いに交差することのない位置関係にある。【００４３】
本実施形態の油圧ショベル１では、このように後方小旋回型の油圧ショベルに適合するようにキャブ１０の構造を形成した場合でも、それによって発生する柱部材３１ａ，３２ａの接合部分の位相のずれの問題を、後方梁部材３３を接合部材として用いることで解決している。
側方梁部材３４は、図６、図９および図１０に示すように、２つの略Ｌ字型の板金部材を組み合わせて形成されており、上述した円弧部分を含むキャブ１０の左側面側に左前柱部材３１ａ（梁部３１ａｂ）に沿って取り付けられている。そして、側方梁部材３４は、左前柱部材３１ａの梁部３１ａｂと、左後柱部材３２ａとを接合するとともに、支柱３５の上端を支持する。これにより、互いに位相が異なる位置にある左前柱部材３１ａの梁部３１ａｂの後端部と、左後柱部材３２ａの上端部とを、後方梁部材３３とともにより強固に接合することができる。そして、側方梁部材３４は、スライドドア７が摺動する範囲に沿ってその上方に配置されており、上側の略Ｌ字型の板金部材の下面にガイド、下側の略Ｌ字型の板金部材の上面にローラ走行部分を設けている。【００４４】
支柱３５は、スライドドア７が取り付けられる円弧部分を含む左側側面における左前柱部材３１ａの柱部３１ａａと左後柱部材３２ａとの中間の位置に、略鉛直方向に沿って配置されている。このため、キャブ１０全体の剛性を向上させるとともに、キャブ１０の左側側面に取り付けられたスライドドア７を摺動させた場合でも、上記側方梁部材３４とともにキャブ１０のバランスを保持することができる。【００４５】
［本油圧ショベル１のキャブ構造体２０の特徴］
（１）
本実施形態の油圧ショベル１は、図１に示すように、いわゆる後方小旋回型の油圧ショベルであって、下部走行体２上に旋回可能な状態で取り付けられた旋回台３を備えており、さらに旋回台３上にオペレータが乗降するためのキャブ１０を配置している。そして、キャブ１０は、図３に示すように、パイプ材を略Ｌ字型形状に折り曲げて形成される左右前柱部材３１ａ，３１ｂや、直線状のパイプ材によって形成される左右後柱部材３２ａ，３２ｂ等によってキャブ構造体２０を形成している。また、旋回台３の旋回軌道に沿って形成された円弧部分を含むキャブ１０の左側面側に配置された左前柱部材３１ａの梁部３１ａｂの後端部と、左後柱部材３２ａの上端部分とが、図８および図９に示すように、互いに異なる位相に配置されている。そして、この異なる位相に配置された左前柱部材３１ａの梁部３１ａｂの後端部と左後柱部材３２ａの上端部分とは、後方梁部材３３によって互いに接合されている。【００４６】
これにより、後方小旋回型の油圧ショベル１の左側面に形成された円弧部分（ラウンド形状）を含む側において、左前柱部材３１ａと左後柱部材３２ａとの接合部分が互いに異なる位相に配置されることになっても、左右後柱部材３２ａ，３２ｂの上端部分同士をつなぐ梁として機能する後方梁部材３３を用いることで、部品点数を増やすことなく、ともにパイプ材によって形成された左前柱部材３１ａと左後柱部材３２ａとを互いに接合することができる。そして、左前柱部材３１ａと左後柱部材３２ａとは、ともにパイプ材によって形成されていることから、板金部材を組み合わせて構成される従来のキャブ構造と比較してキャブ１０の剛性を大幅に向上させることができる。【００４７】
（２）
本実施形態の油圧ショベル１のキャブ構造体２０では、キャブ１０の左側面に円弧部分を含んでいるため、図６に示すように、左右前柱部材３１ａ，３１ｂが互いに平行に配置されているとともに、左右前柱部材３１ａ，３１ｂの間隔が左右後柱部材３２ａ，３２ｂの間隔よりも狭くなるように配置されている。【００４８】
このため、左側面に配置された左前柱部材３１ａと左後柱部材３２ａとは、互いの接合部分において異なる位相に配置されることになる。
本実施形態のキャブ構造体２０では、このように互いの接合部分が異なる位相に配置されている場合でも、後方梁部材３３を用いて両者を接合することで、部品点数を増やすことなく、左前柱部材３１ａと左後柱部材３２ａとを互いに接合して剛性の高いキャブ構造体２０を得ることができる。【００４９】
（３）
本実施形態の油圧ショベル１のキャブ構造体２０では、キャブ１０の左側面に形成された円弧部分において、図３および図６に示すように、左前柱部材３１ａと左後柱部材３２ａとの中間位置に支柱３５を配置している。
これにより、円弧部分を含むキャブ１０の左側面に、オペレータがキャブ１０へ乗降するためのスライドドア７が取り付けられた場合でも、スライドドア７を支持してキャブ１０の剛性を保持することができる。【００５０】
（４）
本実施形態の油圧ショベル１では、互いに位相の異なる位置に配置された左前柱部材３１ａと左後柱部材３２ａとの接合部分を接合する後方梁部材３３は、図７および図１０に示すように、板金部材を略Ｌ字型形状に加工して形成されている。
これにより、キャブ１０の外形に合わせて任意の形状に加工し易くなるとともに、略Ｌ字型形状のように加工した場合には、電気配線等を通すためのスペースを、キャブ構造体２０を構成する梁の部分に確保することができる。【００５１】
（５）
本実施形態の油圧ショベル１のキャブ構造体２０では、上述した互いに異なる位相に配置された左前柱部材３１ａの梁部３１ａｂの後端部と左後柱部材３２ａの上端部分とを接合する部材として、さらにキャブ１０の左側面の上方に側方梁部材３４を設けている。
これにより、左前柱部材３１ａと左後柱部材３２ａとをさらに強固に接合することができる。さらに、キャブ１０の左側面には、図１に示すように、スライドドア７が取り付けられているために重くなっているが、この側方梁部材３４を、キャブ１０の左側面の上方に沿って設けることで、高い剛性を保持することができる。【００５２】
（６）
本実施形態の油圧ショベル１のキャブ構造体２０では、図９および図１０に示すように、上記側方梁部材３４が略Ｌ字型形状の板金部材によって形成されている。
これにより、側方梁部材としてパイプ材を用いた場合と比較して、キャブ１０の外形に沿って任意の形状に加工することが容易になる。さらに、略Ｌ字型の窪み部分に電気配線等を通すことによりキャブ１０内の省スペース化が図れる。【００５３】
（７）
本実施形態の油圧ショベル１のキャブ構造体２０では、キャブ１０の円弧部分を含む左側面に、オペレータがキャブ１０内へ乗降するためのスライドドア７を設けている。
これにより、旋回時における旋回軌道に沿って外側に膨らむように形成された円弧部分にスライドドア７を取り付けたことで、スライドドア７の開閉時においても旋回台３の外側へドアがはみ出すことを回避できる。また、円弧部分を含むキャブ１０の左側面は、旋回台３の最も外側に位置することになるため、オペレータが乗降しやすい位置にスライドドア７を取り付けることができる。【００５４】
（８）
本実施形態の油圧ショベル１のキャブ構造体２０では、キャブ構造体２０を構成する左前柱部材３１ａを矩形断面形状を有するパイプ材、右前柱部材３１ｂを異形断面を有するパイプ材を用いて形成している。
これにより、窓ガラス等を嵌め込むための溝等を異形断面の部分に形成することができるため、窓ガラス嵌め込み用に別の部材を設けたり、加工したりする必要がなくなる。よって、部品点数を減らして収まりのよいキャブ構造体２０を得ることができる。【００５５】
［他の実施形態］
以上、本発明の一実施形態について説明したが、本発明は上記実施形態に限定されるものではなく、発明の要旨を逸脱しない範囲で種々の変更が可能である。
（Ａ）
上記実施形態では、互いに位相の異なる位置（互いにずれた位置）に配置された左前柱部材３１ａの梁部３１ａｂの後端部と左後柱部材３２ａの上端部とを、後方梁部材３３および側方梁部材３４によって接合した例を挙げて説明した。しかし、本発明はこれに限定されるものではない。【００５６】
例えば、互いに位相の異なる位置（互いにずれた位置）に配置された左前柱部材３１ａの梁部３１ａｂの後端部と左後柱部材３２ａの上端部とを、後方梁部材３３だけで接合したキャブ構造であってもよい。この場合でも、部品点数を増やすことなく、キャブの剛性を向上させることができるという上記と同様の効果を得ることができる。
ただし、スライドドアやヒンジ付きのドアが取り付けられる等、より高い剛性が要求されるキャブの左側側面ではキャブの剛性を高いレベルで維持できるという観点では、上記実施形態のように側方梁部材３４も接合部材として用いることがより好ましい。【００５７】
（Ｂ）
上記実施形態では、キャブ１０の前後の間隔（幅）ｄ１，ｄ２が異なることに起因して、左前柱部材３１ａの梁部３１ａｂの後端部と、左後柱部材３２ａの上端部とが、互いに異なる位相（互いにずれた位置）に配置される例を挙げて説明した。しかし、本発明はこれに限定されるものではない。【００５８】
例えば、キャブ１０の幅の差によるものではなく、他の理由に起因して左前柱部材３１ａの梁部３１ａｂの後端部と、左後柱部材３２ａの上端部とが、互いに異なる位相（互いにずれた位置）に配置されているキャブ構造体２０であってもよい。
（Ｃ）
上記実施形態では、キャブ１０の左側の側面に円弧部分を含む例を挙げて説明した。しかし、本発明はこれに限定されるものではない。【００５９】
例えば、キャブ１０が、旋回台３の右側の前方に配置されている場合には、後方小旋回型の油圧ショベルとするためのラウンド形状（円弧部分）が、キャブの右側の側面に形成されていてもよい。この場合でも、上記円弧部分を含む側の柱部材を後方梁部材によって接合することで、上記と同様の効果を得ることができる。
（Ｄ）
上記実施形態では、互いに位相の異なる位置（互いにずれた位置）に配置された左前柱部材３１ａの梁部３１ａｂの後端部と左後柱部材３２ａの上端部とを接合する後方梁部材３３として、略Ｌ字型形状に加工された板金部材によって形成された後方梁部材３３や側方梁部材３４を用いた例を挙げて説明した。しかし、本発明はこれに限定されるものではない。【００６０】
例えば、板金部材の替わりに、左右前柱部材３１ａ，３１ｂや左右後柱部材３２ａ，３２ｂと同様に、パイプ材を用いて後方梁部材３３を形成することで、さらに剛性を向上させたキャブ構造体２０を構成してもよい。
ただし、上記実施形態のように、板金部材を用いることで、キャブの形状に合わせて加工が容易となり、配線等を通すスペースを確保できるといった面では、上記実施形態のように、板金部材を用いることがより好ましい。【００６１】
さらに、後方梁部材３３や側方梁部材３４の形状としては、略Ｌ字型に限定されるものではなく、例えば、コの字型等の他の形状であってもよい。
（Ｅ）
上記実施形態では、キャブ１０の左側側面にスライドドア７を取り付けた例を挙げて説明した。しかし、本発明はこれに限定されるものではない。【００６２】
例えば、スライドドア７の替わりに、ヒンジ付きのドアをキャブ１０の左側側面に取り付けてもよい。この場合でも、左前柱部材３１ａと左後柱部材３２ａとの間に配置された支柱３５等によってヒンジ付きのドアを支持することができる。
（Ｆ）
上記実施形態では、キャブ構造体２０の下方に位置するフロアフレーム２７ａをフロアパネル２７とは別の部材として設けている例を挙げて説明した。しかし、本発明はこれに限定されるものではない。【００６３】
例えば、フロアフレーム２７ａをフロアパネル２７と一体の部材としてもよい。つまり、左右前柱部材３１ａ，３１ｂおよび左後柱部材３２ｂを、直接フロアパネル２７と接続してもよい。
また、同様に、キャブ構造体２０が、防振装置２４ａを介さずに旋回台３上に設置されている構造であってもよい。【００６４】
（Ｇ）
上記実施形態では、本発明の一実施形態に係るキャブ構造を、油圧ショベル１に対して適用した例を挙げて説明した。しかし、本発明はこれに限定されるものではない。
例えば、キャブを搭載した旋回台を備えている他の建設機械に対しても同様に適用することが可能である。
【産業上の利用可能性】
【００６５】
本発明のキャブ構造は、平面視において旋回時における下部走行体からの旋回台のはみ出し長さが旋回半径に対して所定の割合以下となる後方小旋回型の建設機械のキャブ構造において、キャブの剛性を従来よりも大幅に向上させることができるという効果を奏することから、建設機械や農業機械等の作業用機械の運転室に対しても広く適用可能である。
【図１】
2007010808.tif 000002
【図２】
2007010808.tif 000003
【図３】
2007010808.tif 000004
【図４】
2007010808.tif 000005
【図５】
2007010808.tif 000006
【図６】
2007010808.tif 000007
【図７】
2007010808.tif 000008
【図８】
2007010808.tif 000009
【図９】
2007010808.tif 000010
【図１０】
2007010808.tif 000011
【図１１】
2007010808.tif 000012
【図１２】
2007010808.tif 000013
【図１３】
2007010808.tif 000014
【図１４】
2007010808.tif 000015
【国際調査報告】
2007010808.tif 000016
2007010808.tif 000017